(57)【要約】【課題】基地局は、端末の電池の残量の枯渇を十分に抑制できていなかった。【解決手段】基地局は、接続する端末に対し、複数の周辺セルについて測定を行うことを要求する基地局であって、前記端末の電池残量が所定値よりも少なくなったことを示す所定の第１の情報に基づいて、前記複数の周辺セルの所定の一部のみについて前記測定を行うことを前記端末に要求する要求部を備える。【選択図】      図１１
2017183811.tif 000002
【特許請求の範囲】
【請求項１】
接続する端末に対し、複数の周辺セルについて測定を行うことを要求する基地局であって、
前記端末の電池残量が所定値よりも少なくなったことを示す所定の第１の情報に基づいて、前記複数の周辺セルの所定の一部のみについて前記測定を行うことを前記端末に要求する要求部を備えることを特徴とする基地局。
【請求項２】
前記端末の電池残量が所定値よりも少なくなったことを検出する検出部を備え、
前記要求部は、前記端末の電池残量が所定値よりも少なくなったことを前記検出部が検出した場合に、前記所定の一部のみについて前記測定を行うことを前記端末に要求する、
ことを特徴とする請求項１に記載の基地局。
【請求項３】
前記検出部は、前記端末の電池残量が所定値以上となったことを検出し、
前記要求部は、前記端末の電池残量が所定値以上となったことを前記検出部が検出したときには、前記複数の周辺セルについて前記測定を行うことを前記端末に要求する、
ことを特徴とする請求項２に記載の基地局。
【請求項４】
前記要求部は、前記端末の電池残量が所定値よりも少なくなったことを前記検出部が検出した場合、前記所定の一部を示す情報を含む測定要求メッセージを前記端末に送信する、
ことを特徴とする請求項２乃至３のいずれか１項に記載の基地局。
【請求項５】
前記所定の一部のみについて前記測定を行うことの前記要求は、前記所定の一部以外の残余の前記周辺セルについて測定を停止することの要求を含む、
ことを特徴とする請求項１乃至３のいずれか１項に記載の基地局。
【請求項６】
電池により駆動される端末であって、
前記電池の残量を検出した結果を示す電池残量情報を出力する電池管理部と、
入力される前記電池残量情報が、前記残量が所定値よりも少ないことを示す場合、その旨を示す第２の情報を送信する報告部と、
を備えることを特徴とする端末。
【請求項７】
請求項１に記載の基地局と、
請求項６に記載の前記端末と、を備え、
前記基地局は、受信した前記第２の情報を前記第１の情報として使用することを特徴とするシステム。
【請求項８】
請求項２乃至４のいずれか１項に記載の基地局と、
前記端末と、を備える、
ことを特徴とするシステム。
【請求項９】
接続する端末に対し、複数の周辺セルについて測定を行うことを要求する基地局の測定要求方法であって、
前記端末の電池残量が所定値よりも少なくなったことを示す所定の情報に基づいて、前記複数の周辺セルの所定の一部のみについて前記測定を行うことを前記端末に要求する要求ステップを有することを特徴とする測定要求方法。
【請求項１０】
前記端末の電池残量が所定値よりも少なくなったことを検出する検出ステップを有し、
前記要求ステップにおいては、前記端末の電池残量が所定値よりも少なくなったことが前記検出ステップにおいて検出された場合に、前記所定の一部のみについて前記測定を行うことを前記端末に要求する、
ことを特徴とする請求項９に記載の測定要求方法。
【発明の詳細な説明】
【技術分野】
【０００１】
本発明は、基地局、システム、及び測定要求方法に関し、特に、端末に測定を要求する基地局、システム、及び測定要求方法に関するものである。
【背景技術】
【０００２】
図１は、一般的な移動体通信システムの動作を説明する為の図である。
【０００３】
一般的な移動体通信システムでは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の規定に従い、基地局が、端末に対して、周辺のセルから届く電波の受信品質の測定（以下、「電波測定」という）を要求する。このとき、基地局は、図１に示されるように、周辺セル全てについて電波測定を要求する。電波測定の要求は、基地局が、周辺セルで使用される周波数を示す番号を含んだ測定要求メッセージを端末に送信することで実現される。端末は、基地局から測定要求メッセージを受信すると、受信した測定要求メッセージに含まれる番号が示す周波数毎（すなわち、周辺セル毎）に電波測定を行う。端末は、測定した結果（以下、「測定結果」という）を報告メッセージに含めて基地局に報告する。基地局は、端末から報告される測定結果を基に、周辺セルへのハンドオーバ等の処理を行う。上述の測定要求メッセージは、３ＧＰＰに規定されるＭｅａｓｕｒｅｍｅｎｔ  Ｃｏｎｔｒｏｌメッセージであり、上述の報告メッセージは、３ＧＰＰに規定されるＭｅａｓｕｒｅｍｅｎｔ  Ｒｅｐｏｒｔである。
【０００４】
端末に測定を要求する移動体通信システムは、以下の特許文献１に開示されている。図２は、特許文献１の移動体通信システムの構成例を示す図である。
【０００５】
特許文献１の移動体通信システムは、図２に示されるように、マクロ基地局と、フェムトセル基地局と、移動端末と、を備える。マクロ基地局とフェムトセル基地局は、有線回線（バックホールリンク）を介して接続されている。移動端末は、マクロ基地局のマクロセルに在圏している。
【０００６】
フェムトセルは、フェムトセル基地局のセルである。フェムトセルには、周知のＣＳＧ（Ｃｌｏｓｅｄ  Ｓｕｂｓｃｒｉｂｅｒ  Ｇｒｏｕｐ）機能によって予め登録済みの移動端末のみが在圏できる。移動端末は、フェムトセルに未登録の端末である。その為、移動端末は、フェムトセルに在圏できず、フェムトセル基地局と通信を行うことができない。移動端末にとっては、フェムトセルからの電波は大きな干渉源であり、フェムトセルに近づくと、干渉により高速に通信を行うことができない。
【０００７】
そこで、特許文献１の移動体通信システムのマクロ基地局は、移動端末に対して、フェムトセルから届く電波の受信品質の測定（すなわち、電波測定）を要求する。移動端末は、基地局からの要求に基づき、フェムトセルについて電波測定を行う。電波測定を行った移動端末は、測定結果をマクロ基地局に報告する。マクロ基地局は、測定結果を用いて移動端末がフェムトセルに近づいたかどうか判断する。マクロ基地局は、移動端末がフェムトセルに近づいたと判断したときには、近づいたことを示す近接情報をフェムトセル基地局に通知する。フェムトセル基地局は、近接情報が通知されると、送信電力を低減する。これにより、移動端末への干渉量が低減する。その結果、移動端末は、フェムトセルに近づいても高速に通信を行うことができる。
【０００８】
上述の構成や動作の通り、特許文献１の移動体通信システムでは、移動端末は、フェムトセルに近づいても高速に通信を行うことできる。
【０００９】
特許文献２には、端末が、電池の残量を基地局に報告し、基地局が端末の電池の残量に基づいて、端末へのデータ量を抑制する技術が記載されている。
【先行技術文献】
【特許文献】
【００１０】
【特許文献１】特開２０１２−３９１６８号公報
【特許文献２】特開２００６−１９１４５５号公報
【発明の概要】
【発明が解決しようとする課題】
【００１１】
しかし、特許文献１、２のシステムの基地局は、端末の電池の残量が少なくなったときであっても、端末の電池が枯渇するのを十分に抑制できていないという課題があった。
【００１２】
なぜなら、特許文献１、２のシステムの基地局は、端末の電池の残量が少なくなったときであっても、周辺セル全てについて電波測定を端末に要求し、一部の周辺セルに絞って電波測定を要求することがないからである。その結果、端末は、周辺セル全てについて電波測定を実施することとなり、基地局は、端末の電池が枯渇するのを十分抑制できていなかった。
【００１３】
上述の「一部の周辺セル」とは、端末が通信を継続するのに必要な周辺セルである。周辺セルには、端末が通信を継続するのに必要なセルと、必ずしも必要ではないセルがある。端末が通信を継続するのに必要な周辺セルとしては、ハンドオーバによって端末が移動することが可能なセル（以下、「ハンドオーバ可能セル」という）がある。ハンドオーバ可能セルが存在しないと、端末はハンドオーバによって通信を継続することができなくなるからである。端末が通信を継続するのに必ずしも必要ではない周辺セルとしては、例えば、特許文献１に記載のフェムトセル（在圏することができないセル）やキャリアアグリゲーションで追加される副セル等である。これらセルは、端末の通信速度を改善する為のものであり、それが存在しなくても端末は通信を継続できなくなるわけではない。
【００１４】
特許文献１、２のシステムの基地局は、端末の電池の残量が少なくなったとき、端末が通信を継続するのに本当に必要な周辺セルに絞って電波測定を要求しないので、端末の電池が枯渇するのを十分に抑制できていなかった。
【００１５】
本発明は、上記課題を解決する基地局、システム、及び測定要求を提供することを目的とする。
【課題を解決するための手段】
【００１６】
上記目的を達成するために、本発明の基地局は、接続する端末に対し、複数の周辺セルについて測定を行うことを要求する基地局であって、前記端末の電池残量が所定値よりも少なくなったことを示す所定の第１の情報に基づいて、前記複数の周辺セルの所定の一部のみについて前記測定を行うことを前記端末に要求する要求部を備える。
【００１７】
上記目的を達成するために、本発明の端末は、電池により駆動される端末であって、前記電池の残量を検出した結果を示す電池残量情報を出力する電池管理部と、入力される前記電池残量情報が、前記残量が所定値よりも少ないことを示す場合、その旨を示す第２の情報を送信する報告部と、を備える。
【００１８】
上記目的を達成するために、本発明のシステムは、接続する端末に対し、複数の周辺セルについて測定を行うことを要求する基地局であって、前記端末の電池残量が所定値よりも少なくなったことを示す所定の第１の情報に基づいて、前記複数の周辺セルの所定の一部のみについて前記測定を行うことを前記端末に要求する要求部を備える基地局と、電池により駆動される端末であって、前記電池の残量を検出した結果を示す電池残量情報を出力する電池管理部と、入力される前記電池残量情報が、前記残量が所定値よりも少ないことを示す場合、その旨を示す第２の情報を送信する報告部と、を備える端末と、を備え、前記基地局は、受信した前記第２の情報を前記第１の情報として使用する。
【００１９】
上記目的を達成するために、本発明の測定要求方法は、接続する端末に対し、複数の周辺セルについて測定を行うことを要求する基地局の測定要求方法であって、前記端末の電池残量が所定値よりも少なくなったことを示す所定の情報に基づいて、前記複数の周辺セルの所定の一部のみについて前記測定を行うことを前記端末に要求する要求ステップを有する。
【発明の効果】
【００２０】
本発明によれば、基地局は、端末において電池の残量が少なくなったとき、端末の電池が枯渇するのを十分抑制できる。
【図面の簡単な説明】
【００２１】
【図１】一般的な移動体通信システムの動作を説明する為の図である。
【図２】特許文献１の移動体通信システムの構成例を示す図である。
【図３】本発明の第１の実施の形態における移動体通信システムの概略について説明する為の図である。
【図４】本発明の第１の実施の形態における移動体通信システムの構成例を示す図である。
【図５】本発明の第１の実施の形態における移動体通信システムの機能（一部の周辺セルに絞って電波測定を行うことを解除する機能）の概略について説明する為の図である。
【図６】本発明の第１の実施の形態におけるシステムの動作を説明する為の図である。
【図７】本発明の第２の実施の形態における移動体通信システムの構成例を示す図である。
【図８】本発明の第２の実施の形態における移動体通信システムの機能について説明する為の図である。
【図９】本発明の第２の実施の形態におけるシステムの動作を説明する為の図（その１）である。
【図１０】本発明の第２の実施の形態におけるシステムの動作を説明する為の図（その２）である。
【図１１】本発明の第３の実施の形態における基地局の構成例を示す図である。
【図１２】本発明の第４の実施の形態における端末の構成例を示す図である。
【発明を実施するための形態】
【００２２】
次に本発明の実施形態について、図面を参照して詳細に説明する。図３は、本発明の第１の実施の形態における移動体通信システムの概略について説明する為の図である。
【００２３】
≪第１の実施の形態≫
［概略］
本実施形態の移動体システムの基地局には、図３に示されるように、端末から電池の残量が通知される。本実施形態の基地局は、端末の電池の残量が所定の閾値より少なくなったと判別したときには、一部の周辺セルに絞って測定することを端末に要求する。端末は、要求に応じ、一部の周辺セルについて電波測定を行う。端末は、周辺セル全てについて電波測定を実施しないので、電池の消費を抑えることができる。基地局は、端末の電池の消費を抑えるので、端末の電池が枯渇するのを十分抑制できる。上述の「一部の周辺セル」は、ハンドオーバ先となる周辺セル等、端末が通信を継続するのに必要な周辺セルである。
【００２４】
以下に、本発明の第１の実施の形態における移動体通信システムの構成、機能、及び動作について説明する。図４は、本実施形態の移動体通信システムの構成例を示す図である。
【００２５】
［構成の説明］
（１）本発明の第１の実施の形態における移動体通信システムの構成
本実施形態の移動体通信システムは、図４に示されるように、端末１と基地局２を備える。端末１は、基地局２のセルに在圏し、無線回線を介して基地局２と接続される。
【００２６】
基地局２のセル周辺には、周辺セル１０〜１４が存在する。周辺セル１０は、端末１が在圏することのできないフェムトセルである。周辺セル１１、１４は、端末２がキャリアアグリゲーションを行うときに追加される副セルである。周辺セル１２、１３は、そのセルに端末１がハンドオーバによって移動することが可能なセル（以下、「ハンドオーバ可能セル」という）である。各周辺セル１０〜１４では、各々、周波数１１０〜１１４が使用される。
【００２７】
なお、図示していないが、端末１はメモリを備え、基地局２は、メモリとレジスタを備える。
【００２８】
（２）端末１の機能
（２−１）一般的な通信機能
端末１は、一般的なスマートフォンと同様、３ＧＰＰ（３ｒｄ  Ｇｅｎｅｒａｔｉｏｎ  Ｐａｒｔｎｅｒｓｈｉｐ  Ｐｒｏｊｅｃｔ）に準拠する通信機能を備える。例えば、端末１は、起動すると、３ＧＰＰに規定される位置登録メッセージを送信する機能を備える。また、端末１は、周辺セル１２、１３にハンドオーバを行う機能も備える。さらに、端末１は、通信速度を向上させるキャリアアグリゲーション機能も備える。
【００２９】
（２−２）一般的な測定機能
端末１は、一般的なスマートフォンと同様に、基地局２から測定を要求された周辺セル毎に電波測定を行う機能を備える。
【００３０】
具体的には、端末１は、測定を行うことを要求する測定要求メッセージ（具体的には、３ＧＰＰに規定されるＭｅａｓｕｒｅｍｅｎｔ  Ｃｏｎｔｒｏｌメッセージ）を受信すると、該メッセージに含まれる周波数を示す番号（以下、「周波数番号」という）を抽出する。端末１は、所定のタイミングになると、抽出した周波数番号が示す周波数毎に、受信する電波の受信品質の測定（電波測定）を行う。周波数は周辺セルの周波数であるので、周波数毎に電波測定を行うことは、周辺セル毎に電波測定を行うことに相当する。
【００３１】
上述の所定のタイミングは、一定時間間隔のタイミングであり、端末１の製造者によって設定される。所定のタイミングは、端末１に許容以上の負荷がかからない範囲で、できるだけ短い時間間隔のタイミングであることが望ましい。なぜなら、端末１は、常に最新の測定結果を得ることができるからである。例えば、端末１の製造者は、数秒から数ミリオーダ間隔のタイミングを所定のタイミングとして端末１に設定してもよい。
【００３２】
上述の受信品質は、Ｅｃ／Ｎｏ、又はＲＳＲＱ（Ｒｅｆｅｒｅｎｃｅ  Ｓｉｇｎａｌ  Ｒｅｃｅｉｖｅｄ  Ｑｕａｌｉｔｙ）であってもよい。Ｅｃ／Ｎｏは、Ｒｅｃｅｉｖｅｄ  ｅｎｅｒｇｙ  ｐｅｒ  ｃｈｉｐ  ｄｉｖｉｄｅｄ  ｂｙ  ｔｈｅ  ｐｏｗｅｒ  ｄｅｎｓｉｔｙ  ｉｎ  ｔｈｅ  ｂａｎｄの略称である。
【００３３】
端末１は、測定した結果（すなわち、測定した受信品質）を報告メッセージに含めて基地局１に送信する。報告メッセージは、３ＧＰＰに規定されるＭｅａｓｕｒｅｍｅｎｔ  Ｒｅｐｏｒｔメッセージである。
【００３４】
（２−３）一般的な電池残量計測機能
端末１は、一般的なスマートフォンと同様、一般的な電池残量計を備える。一般的な電池残量計は、ＩＣ（Ｉｎｔｅｇｒａｔｅｄ  Ｃｉｒｃｕｉｔ）として実現されており、電圧測定方式、若しくは周知のクーロンカウンタ方式により端末１の電池の残量を繰り返し計測する。
【００３５】
（２−４）電池残量報告機能
端末１は、基地局２とコネクションを確立するとき、電池残量計によって計測される電池の残量値を、自身に備わるメモリ（以下、「電池残量メモリ」という）に一旦記憶する。次に、端末１は、コネクションを確立する為の周知の呼制御メッセージに、電池残量メモリに記憶する電池の残量値を含めて基地局２に送信する。呼制御メッセージは、３ＧＰＰに規定されるＲＲＣ  Ｃｏｎｎｅｃｔｉｏｎ  Ｒｅｑｕｅｓｔメッセージであってもよい。
【００３６】
（３）基地局２の機能
（３−１）一般的な基地局機能
基地局２は、３ＧＰＰに準拠して動作する一般的な基地局機能を備える。例えば、基地局２は、端末１から受信した報告メッセージに含まれる測定結果（具体的には、周辺セル１２、１３の受信品質）を基に、ハンドオーバ先のセルを決定し、決定したセルに端末１をハンドオーバさせるハンドオーバ機能を備える。
【００３７】
（３−２）端末に電波測定を要求する機能
基地局２は、所定の契機に、周知の測定要求メッセージ（具体的には、３ＧＰＰに規定されるＭｅａｓｕｒｅｍｅｎｔ  Ｃｏｎｔｒｏｌメッセージ）を端末１に送信する機能を備える。
【００３８】
上述の所定の契機は、位置登録メッセージを端末１から受信したときである。周知の測定要求メッセージには、周辺セル１０〜１４の周波数１１０〜１１４を示す周波数番号が含まれる。周波数１１０〜１１４を示す周波数番号は、予め本実施形態の移動体通信システムの管理者によって基地局２に設定される。
【００３９】
（３−３）端末１の電池の残量値を抽出する機能
基地局２は、コネクションを確立する為の呼制御メッセージを端末１から受信すると、受信した呼制御メッセージから電池の残量値を抽出する。
【００４０】
（３−４）端末１の電池の残量が閾値よりも少なくなったか否かを判別する機能
基地局２は、呼制御メッセージから抽出した端末１の電池の残量値が、所定の閾値より小さいか否かを判別する。所定の閾値は、本実施形態のシステムの管理者によって基地局２に設定される。本実施形態の移動体通信システムの管理者は、システムの運用テスト時に、端末１から報告される電池の残量の中から値０より大きい値を任意に所定の閾値として基地局２に設定する。
【００４１】
（３−５）一部の周辺セルに絞って端末に電波測定を要求する機能
基地局２は、端末１の電池の残量値が所定の閾値より小さい場合には、端末１が通信を継続するのに必要な周辺セルに絞って測定を行うことを要求する測定要求メッセージを、端末１に送信する。
【００４２】
具体的には、基地局２は、通信を継続するのに必要な周辺セルの周波数を示す周波数番号を、測定要求メッセージに含めて端末１に送信する。「通信を継続するのに必要な周辺セル」とは、そのセルが存在しないと端末１が通信を継続することができなくなるセルのことである。「通信を継続するのに必要な周辺セル」は、以下、ハンドオーバ可能セル（端末１がハンドオーバによって移動することが可能なセル）であるものとする。それが存在しないと、端末１がハンドオーバによって通信を継続することができなくなるからである。
【００４３】
基地局２には、本実施形態の移動体通信システムの管理者によって、ハンドオーバ可能セル（すなわち、周辺セル１２、１３）の周波数を示す周波数番号が予め設定される。基地局２は、設定された周辺セルの周波数１１２、１１３を示す周波数番号を、測定要求メッセージに含めて端末１に送信する。
【００４４】
基地局２は、端末１の電池の残量値が所定の閾値以上の場合には、次に呼制御メッセージを受信するのを待つ。
【００４５】
（３−６）端末の状態を把握する機能
基地局２は、必要な周辺セルに絞って電波測定を行うことを要求する測定要求メッセージを端末１に送信したときには、自身に備わるレジスタ（以下、「状態記憶レジスタ」という）の値を１とする。値１は、端末１が必要な周辺セルに絞って電波測定中（以下、「測定減状態」という）であることを示す値である。当該レジスタの初期値は値０（測定減状態でないことを示す値）である。これら値は、以下の「（３−７）電池の残量値が閾値以上に戻ったか否かを判別する機能」で使用される。
【００４６】
（３−７）電池の残量が閾値以上に戻ったか否かを判別する機能
図５は、本実施形態の移動体通信システムの機能（一部の周辺セルに絞って電波測定を行うことを解除する機能）の概略について説明する為の図である。本実施形態の移動体通信システムの基地局２は、図５に示されるように、端末の電池の残量が所定の閾値以上に戻ったときには、全ての周辺セルについて電波測定を行うよう端末に要求する。すなわち、基地局２は、一部の周辺セルに絞って電波測定を行うことを解除する。当該機能は、具体的には、以下の通りの機能である。
【００４７】
基地局２は、状態記憶レジスタの値が値１（端末が省電力状態）であるとき、（呼制御メッセージから抽出した）端末１の電池の残量値が閾値以上か否かを判別する。基地局２は、端末１の電池の残量値が閾値以上である場合は、全ての周辺セル１０〜１４について測定を行うことを要求する測定要求メッセージを端末１に送信する。具体的には、基地局２は、周辺セル１０〜１４の周波数１１０〜１１４を示す周波数番号を含む測定要求メッセージを端末１に送信する。
【００４８】
（４）基地局２と端末１を実現する機能部について
基地局２において、上述の（３−２）〜（３−７）の機能（一般的な基地局機能ではない機能）は、一般的なプロセッサ、ＲＡＭ（Ｒａｎｄｏｍ  Ａｃｃｅｓｓ  Ｍｅｍｏｒｙ）等のメモリ、及び一般的なレジスタを用いて実現可能である。
【００４９】
（３−４）及び（３−７）の機能と、（３−２）、（３−３）、（３−５）、及び（３−６）の機能と、は別のプロセッサで実現されてもよい。（３−４）及び（３−７）の機能を実現するプロセッサを以下、「判別プロセッサ」といい、（３−２）、（３−３）、（３−５）、及び（３−６）の機能を実現するプロセッサを以下、「実行プロセッサ」という。判別プロセッサと実行プロセッサは、メモリと状態記憶レジスタを介して接続される。判別プロセッサは、判別した結果を、メモリを介して実行プロセッサに通知する。
【００５０】
端末１において、上述の（２−４）の機能（一般的な端末機能以外の機能）は、プロセッサとメモリを用いて実現可能である。
【００５１】
［動作の説明］
図６は、本発明の第１の実施の形態におけるシステムの動作を説明する為の図である。図６を用いて、本実施形態のシステムの詳細な動作を以下に説明する。
【００５２】
（１）端末１の起動直後の動作
端末１は、３ＧＰＰに準拠して動作する端末である。その為、端末１は、起動後、周知の位置登録メッセージを送信し、それによって基地局２から（周辺セル１０〜１４の周波数１１０〜１１４を示す周波数番号を含んだ）測定要求メッセージが通知される。その結果、端末１は、上述の「（２−２）一般的な測定機能」により、周波数１１０〜１１４について（すなわち、全ての周辺セル１０〜１４について）電波測定を繰り返し実施している。
【００５３】
（２）電池の残量値の報告（端末１動作）
その後、端末１は、パケットデータを送信するとき、基地局２との間でコネクションを確立する。
【００５４】
端末１は、基地局２との間でコネクションを確立する前に、図６に示されるように、電池の残量値を取得する（Ｓ１）。
【００５５】
具体的には、端末１は、電池残量計によって計測される電池の残量値を電池残量メモリに記憶する。電池残量計は、上述の「（２−３）一般的な電池残量計測機能」で説明した通り、端末１の電池の残量値を測定する一般的なＩＣ（Ｉｎｔｅｇｒａｔｅｄ  Ｃｉｒｃｕｉｔ）である。
【００５６】
次に、端末１は、電池残量メモリに取得した電池の残量値を、コネクションを確立する為の周知の呼制御メッセージに含めて、基地局２に送信する（Ｓ２）。
【００５７】
上述の「コネクションを確立する為の周知の呼制御メッセージ」は、３ＧＰＰに規定されるＲＲＣ  Ｃｏｎｎｅｃｔｉｏｎ  Ｒｅｑｕｅｓｔメッセージであってもよい。
【００５８】
（３）電池の残量値が所定の閾値より少ないときの基地局２の動作
次に、基地局２は、コネクションを確立する為の周知の呼制御メッセージを端末１から受信すると、受信した呼制御メッセージから電池の残量値を抽出する（Ｓ３）。
【００５９】
次に、基地局２は、周知の呼制御を実施し、端末１との間でコネクションを確立させる（Ｓ４）。周知の呼制御は、３ＧＰＰに規定される制御であり、ここでは説明を割愛する。
【００６０】
次に、基地局２は、自身に備わる状態記憶レジスタの値が値０か否かを判別する（Ｓ５）。
【００６１】
値０は、上述の「（３−６）端末の状態を把握する機能」で説明した通り、測定減状態でないことを示す値である。基地局２は、Ｓ５の処理を実施することで、端末１が測定減状態ではないことを確認する。
【００６２】
ここまでに基地局２は、状態記憶レジスタの値を変更していない。その為、状態記憶レジスタの値は初期値０のままである。基地局２は、状態記憶レジスタの値が値０と判別したものとして説明を続ける。状態記憶レジスタの値が値１の場合（Ｓ５でＮｏの場合）の動作については、後述の「（４）電池の残量値が閾値以上となったときの動作」にて詳細に説明する。
【００６３】
基地局２は、上述のＳ５において、状態記憶レジスタの値が０の場合（Ｓ５でＹｅｓの場合）、すなわち、端末１が測定減状態ではないと判別した場合には、（Ｓ３で抽出した）端末１の電池の残量値が所定の閾値より小さいか否かを判別する（Ｓ６）。
【００６４】
Ｓ６の判別は、電池の残量が所定の閾値よりも少なくなったことを検出する処理である。所定の閾値は、上述の「（３−４）端末１の電池の残量が閾値よりも少なくなったか否かを判別する機能」で説明した通り、本実施形態のシステムの管理者によって予め基地局２に設定されている。
【００６５】
基地局２は、Ｓ６において、端末１の電池の残量値が閾値以上の場合（Ｓ６でＮｏの場合）には、端末１に電池が十分残っているとみなし、次の呼制御メッセージを待つ。その場合、基地局２は、測定要求メッセージを新たに送信しないので、端末１は、それまでと同様、周辺セル１０〜１４について電波測定を繰り返す動作を継続する。
【００６６】
ここでは、端末１は充電されておらず、その電池の残量値が所定の閾値より小さい値であったものとして説明を続ける。
【００６７】
基地局２は、Ｓ６において、端末１の電池の残量値が所定の閾値より小さい場合（Ｓ６でＹｅｓの場合）には、電池の残量が閾値よりも少なくなったことを検出したものとして、以下のＳ７の処理を行う。
【００６８】
すなわち、基地局２は、端末１が通信を継続するのに必要な周辺セル（具体的にはハンドオーバ可能セルである周辺セル１２、１３）に絞って測定することを端末１に要求する（Ｓ７）。
【００６９】
具体的には、基地局２は、周辺セル１２、１３の周波数１１２、１１３を示す周波数番号を周知の測定要求メッセージに含めて端末１に送信する。周知の測定要求メッセージは、３ＧＰＰに規定されるＭｅａｓｕｒｅｍｅｎｔ  Ｃｏｎｔｒｏｌメッセージである。周波数１１２、１１３を示す周波数番号は、本実施形態の移動体通信システムの管理者によって予め基地局２に設定されている。
【００７０】
Ｓ７の後、基地局２は、状態記憶レジスタに値１を書き込む（Ｓ８）。状態記憶レジスタには、端末１が測定減状態（すなわち、必要な周辺セルに絞って電波測定中）であることを示す値１が記憶される。
【００７１】
（４）測定要求メッセージを受信したときの端末１の動作
端末１は、Ｓ７の処理によって、周知の測定要求メッセージを受信すると、一般的な端末と同様、受信したメッセージから周波数番号を抽出し、抽出した周波数番号が示す周波数１１２について電波測定を行う（Ｓ９）。すなわち、端末１は、周辺セル１２に絞って電波測定を行う。
【００７２】
その結果、端末１の電池の消費が抑えられることとなり、基地局２は、端末１の電池が枯渇するのを十分抑制できる。
【００７３】
（５）電池の残量値が閾値以上となったときの動作
その後、端末１のユーザによって、端末１は容量一杯に充電されたとする。
【００７４】
その後、端末１は、パケットデータを送信するとき、Ｓ１、Ｓ２を実施し、端末１の電池の残量値を、コネクションを確立する為の呼制御メッセージに含めて基地局２に通知する。
【００７５】
基地局２は、Ｓ３を実施して、通知された呼制御メッセージから電池の残量値を抽出し、その後、Ｓ４を実施して、端末１との間でコネクションを確立させる。
【００７６】
Ｓ４の後、基地局２は、状態記憶レジスタの値が値０か否かを判別する（Ｓ５）。すなわち、基地局２は、端末１が測定減状態（必要な周辺セルに絞って電波測定中）か否かを判別する。ここでは、端末１が測定減状態であり、状態記憶レジスタの値は値１である。
【００７７】
基地局２は、Ｓ５において、状態記憶レジスタの値が値１の場合（Ｓ５でＮｏの場合）には、端末１の電池の残量値が所定の閾値以上か否かを判別する（Ｓ１０）。Ｓ１０の判別は、電池の残量が所定の閾値以上となったことを検出する処理である。
【００７８】
基地局２は、端末１の電池の残量値が閾値未満である場合（Ｓ１０でＮｏの場合）には、次の呼制御メッセージを待つ。ここでは、端末１が容量一杯に充電されており、電池の残量値が所定の閾値以上である。その為、基地局２が、電池の残量値が所定の閾値以上と判別したものとして説明を続ける。
【００７９】
基地局２は、Ｓ１０において、端末１の電池の残量値が所定の閾値以上と判別した場合（Ｓ１０でＹｅｓの場合）には、電池の残量が閾値以上となったことを検出したものとして、以下のＳ１１の処理を行う。
【００８０】
すなわち、基地局２は、全ての周辺セル１０〜１４について測定を行うことを要求する測定要求メッセージを端末１に送信する（Ｓ１１）。
【００８１】
具体的には、基地局２は、周辺セル１０〜１４の周波数１１０〜１１４を示す周波数番号を測定要求メッセージに含めて端末１に送信する。端末１の電池の残量値が十分あるので、周辺セル１２に絞って測定を行う前の状態に戻す為である。
【００８２】
Ｓ１１の後、基地局２は、状態記憶レジスタ値を値０（端末１が測定減状態でないことを示す値）に変更する（Ｓ１２）。
【００８３】
端末１は、Ｓ１１の処理によって、測定要求メッセージを受信すると、受信したメッセージから周波数番号を抽出し、抽出した周波数番号が示す周波数１１０〜１１４について電波測定を行う（Ｓ９）。すなわち、端末１は、全ての周辺セル１０〜１４について電波測定を行う。端末１は、周辺セル１２に絞って測定を行う前と同様に、全ての周辺セル１０〜１４について電波測定を行う。
【００８４】
上記では、本実施形態のシステムに基地局２が１台備わる場合について説明したが、本実施形態のシステムは、基地局２を２台以上備えてもよい。
【００８５】
また、上記では、測定要求メッセージがＭｅａｓｕｒｅｍｅｎｔ  Ｃｏｎｔｒｏｌメッセージであるものとして説明したが、測定要求メッセージは、３ＧＰＰに規定されるＲＲＣ  Ｃｏｎｎｅｃｔｉｏｎ  Ｒｅｃｏｎｆｉｇｕｒａｔｉｏｎメッセージであってもよい。すなわち、基地局２は、上述のＳ７、Ｓ１１の処理において、Ｍｅａｓｕｒｅｍｅｎｔ  Ｃｏｎｔｒｏｌメッセージの代わりに、ＲＲＣ  Ｃｏｎｎｅｃｔｉｏｎ  Ｒｅｃｏｎｆｉｇｕｒａｔｉｏｎメッセージを送信してもよい。その場合、端末１は、上述のＳ９の処理において、受信したＲＲＣ  Ｃｏｎｎｅｃｔｉｏｎ  Ｒｅｃｏｎｆｉｇｕｒａｔｉｏｎメッセージから周波数番号を抽出し、抽出した周波数番号が示す周波数について電波測定を行う。
【００８６】
（６）周辺セルが全てハンドオーバ可能セルであった場合の動作
上記では、周辺セルが、「通信を継続するのに必要な周辺セル１２、１３」、若しくは「通信を継続するのに必ずしも必要ではない周辺セル１０、１１、１４」である場合について説明した。全ての周辺セルが「通信を継続するのに必要な周辺セル」であった場合、基地局２は、以下の通りに動作する。
【００８７】
まず、基地局２には、周辺セル全てが「通信を継続するのに必要な周辺セル」であることを示す情報（以下、「全セル情報」という）が、基地局２の製造者によって予め設定される。全セル情報は、０ｘ９９９９という数値であってもよい。
【００８８】
端末１は、Ｓ２の処理において、周辺セル１１〜１４の周波数毎に受信品質を測定し、周波数を示す周波数番号と、該周波数で測定した受信品質と、を対応づけた測定結果情報を呼制御メッセージに含めて基地局２に報告する。
【００８９】
次に、基地局２は、全セル情報が設定されているとき、Ｓ３の処理において、呼制御メッセージから測定結果情報を抽出し、抽出した測定結果情報を記憶する。測定結果情報は、周波数番号と受信品質が対応づけられた情報である。
【００９０】
基地局２は、Ｓ７の処理において、対応する受信品質の一番良いものから順に所定個、周波数番号を測定結果情報の中から抽出し、抽出した周波数番号を測定要求メッセージに含めて端末１に送信する。
【００９１】
その結果、端末１は、順に受信品質の良い所定個の周辺セルに絞って測定を行うこととなる。
【００９２】
上述の所定個は、周辺セル１１〜１４の数（４）よりも小さい数であり、本実施形態のシステムの基地局２の製造者によって基地局２に設定される。
【００９３】
［効果の説明］
本実施形態によれば、基地局２は、端末１の電池の残量が少なくなったとき、端末１の電池が枯渇するのを十分抑制できる。
【００９４】
なぜならば、本実施形態のシステムでは、基地局２は、端末１の電池の残量が少なくなったときには、通信を継続するのに必要な周辺セル１２、１３に絞って電波測定することを端末１に要求するからである。その結果、端末１は、全ての周辺セル１０〜１４ではなく、周辺セル１２、１３に絞って電波測定を実施するので、電池の消費を抑えられる。基地局２は、端末１の電池の残量が少なくなったとき、端末１の電池の消費を抑えるので、端末１の電池が枯渇するのを十分抑制することができる。
【００９５】
≪第２の実施の形態≫
次に、本発明の第２の実施の形態について説明する。
【００９６】
［概略］
第２の実施形態のシステムは、第１の実施形態のシステムの変形例である。基地局側で電池残量低下を検出していた第１の実施形態とは異なり、第２の実施形態では、端末側で電池残量低下を検出し、その旨の報告を受けた基地局が、当該端末に対して一部の周辺セルについての測定の停止を要求する。その結果、第２の実施形態のシステムは、第１の実施形態のシステムと同様、端末の消費電力を抑え、電池の枯渇を十分抑制することができる。
【００９７】
以下に、第２の実施の形態のシステムの構成、機能、及び動作について説明する。図７は、本発明の第２の実施の形態におけるシステムの構成例を示す図である。
【００９８】
［構成の説明］
（１）第２の実施形態のシステムの構成
第２の実施形態のシステムは、図７に示されるように、端末１と基地局２の代わりに、端末３と基地局４を備える。
【００９９】
図示していないが、端末３は、２つのメモリと、１つのレジスタを備える。２つのメモリのうち１つを、以下、「電池残量メモリＡ」といい、もう１つを以下、「電池残量メモリＢ」という。電池残量メモリＡ、Ｂは、現在又は過去の電池残量を記憶するメモリであり、端末３が電池の残量の低下又は上昇を検出するのに使用される。
【０１００】
さらに、図示していないが、基地局４も、状態記憶レジスタ以外に、メモリとレジスタを新たに備える。新たに備わるメモリを、以下、「周波数記憶メモリ」といい、新たに備わるレジスタを、以下、「情報保持レジスタ」という。情報保持レジスタの初期値は０である。周波数記憶メモリは、測定要求メッセージに含まれる周波数番号を記憶するメモリであり、測定を停止する周辺セルの周波数番号を求める為に使用される。情報保持レジスタは、端末３にて検出された内容（電池の残量の低下又は上昇）を基地局４が保持する為のレジスタである。
【０１０１】
次に、端末３と基地局４の機能について説明する。図８は、本発明の第２の実施の形態における移動体通信システムの機能について説明する為の図である。
【０１０２】
（２）端末３の機能
（２−１）電池の残量低下、又は上昇を検出する機能
端末３は、図８に示されるように、端末の電池の残量値が所定の閾値より小さい値となったこと（以下、「電池の残量低下」という）を検出する。また、端末３は、自身の電池の残量値が所定の閾値以上となったこと（以下、「電池の残量上昇」という）を検出する。
【０１０３】
「電池の残量低下」、又は「電池の残量上昇」を検出する為の具体的機能については、後述の「（４）端末３における電池の残量値の低下、若しくは上昇を検出する機能の詳細」で説明する。所定の閾値は、端末３の製造者によって端末３に設定される。端末３の製造者は、電池の残量が少なくなったと考える値を所定の閾値として端末３に設定する。
【０１０４】
（２−２）電池の残量低下、又は上昇を通知する機能
端末３は、電池の残量低下を検出すると、図８に示されるように、残量低下を示すメッセージを基地局４に送信する。端末３は、電池の残量上昇を検出すると、残量上昇を示すメッセージを基地局４に送信する。
【０１０５】
（２−３）一部の測定を停止する機能
端末３は、測定の停止を要求する停止要求メッセージを基地局４から受信すると、受信した停止要求メッセージから周波数番号を抽出し、抽出した周波数番号が示す周波数については電波測定を停止する。
【０１０６】
（３）基地局４の機能
（３−１）周波数番号記憶機能
基地局４は、測定要求メッセージを送信するとき、送信する測定要求メッセージに含まれる周波数番号（例えば、周波数１１０〜１１４を示す周波数番号）を周波数記憶メモリに記憶する。周波数記憶メモリに記憶された周波数番号は、測定を停止する周辺セルの周波数を示す周波数番号を基地局４が抽出するのに使用される。
【０１０７】
（３−２）端末の電池残量状態を記憶する機能
基地局４は、残量低下を示すメッセージを端末３から受信すると、情報保持レジスタの値を値１とする。基地局４は、残量上昇を示すメッセージを端末３から受信すると、情報保持レジスタの値を値２とする。
【０１０８】
（３−３）端末の電池が低下したか否か判別する機能
基地局４は、情報保持レジスタの値が値１か否かを判別する。
【０１０９】
（３−４）測定停止を要求する機能
基地局４は、情報保持レジスタの値が値１である場合には、図８に示されるように、一部の周辺セルについて測定の停止を要求する停止要求メッセージを端末３に送信する。
【０１１０】
具体的には、基地局４は、情報保持レジスタの値が値１である場合、周波数記憶メモリに記憶される周波数番号の中から、自身に設定されている周辺セル１２、１３の周波数１１２、１１３を示す周波数番号以外の周波数番号を抽出する。周辺セル１２、１３は、端末３が通信を継続するのに必要な周辺セル（具体的には、ハンドオーバ可能セル）である。基地局４は、端末３が通信を継続するのに必要な周辺セルの周波数を示す周波数番号以外の周波数番号を抽出する。基地局４は、抽出した周波数番号を停止要求メッセージに含めて送信する。
【０１１１】
上述の「抽出した周波数番号」は、端末３が通信を継続するのに必ずしも必要でない周辺セルの周波数を示す周波数番号である。基地局４は、必ずしも必要でない周辺セルの周波数について測定を停止することを停止要求メッセージにて端末３に要求する。
【０１１２】
（３−５）端末の電池が上昇したか否か判別する機能
基地局４は、情報保持レジスタの値が値２か否かを判別する。
【０１１３】
（３−６）測定停止の解除を要求する機能
基地局４は、情報保持レジスタの値が値２である場合には、全ての周辺セル１０〜１４について測定を行うことを要求する測定要求メッセージを端末３に送信する。具体的には、基地局４は、周辺セル１０〜１４の周波数１１０〜１１４を示す周波数番号を含む測定要求メッセージを端末３に送信する。測定停止を解除する為である。
【０１１４】
（４）端末３における電池の残量値の低下、若しくは上昇を検出する機能の詳細
上述の「（２−１）電池の残量低下、又は上昇を検出する機能」は、以下の（イ）〜（チ）の手順通りにより実現される機能である。
【０１１５】
（イ）まず、端末３は、起動すると、電池残量メモリＡと電池残量メモリＢを初期化する為、電池残量メモリＡと電池残量メモリＢに値０を書き込む。
【０１１６】
（ロ）その後、端末３は、所定のタイミング（以下、「検出タイミング」という）になると、電池残量メモリＡに記憶される値を電池残量メモリＢに写した上で、電池残量計によって計測される電池の残量値を電池残量メモリＡに記憶する。電池残量メモリＢには、１つ前の検出タイミングにおける電池の残量値が記憶され、電池残量メモリＡには、最新の電池の残量値が記憶される。
【０１１７】
上述の検出タイミングは、一定時間間隔毎のタイミングであり、端末３の製造者によって設定される。但し、端末３の製造者は、「（２−２）一般的な測定機能」で説明した所定のタイミングとは別のタイミングを検出タイミングとして端末３に設定する。
【０１１８】
（ハ）次に、（ロ）の後、端末３は、電池残量メモリＢに記憶される値（１つ前の検出タイミングにおける電池の残量値）が所定の閾値以上、且つ、電池残量メモリＡに記憶される値（最新の電池の残量値）が所定の閾値未満か否かを判別する。端末の電池の残量値が所定の閾値より小さい値となっていること（すなわち、電池の残量が低下していること）を検出するためである。
【０１１９】
（ニ）次に、端末３は、上述の（ハ）の判別において、電池残量メモリＢに記憶される値が所定の閾値以上、且つ、電池残量メモリＡに記憶される値が所定の閾値未満である場合には、電池の残量低下を検出したとみなし、自身に備わるレジスタに値１を書き込む。検出レジスタの初期値は０である。値１を書き込んだレジスタは、以下、「検出レジスタ」という。
【０１２０】
（ホ）端末３は、上述の（ハ）の判別において、電池残量メモリＢに記憶される値が所定の閾値未満、又は、電池残量メモリＡに記憶される値が所定の閾値以上である場合には、検出レジスタに値０を書き込む。
【０１２１】
（ヘ）上述の（ニ）又は（ホ）の後、端末３は、電池残量メモリＢに記憶される値（１つ前の検出タイミングにおける電池の残量値）が所定の閾値より小さく、且つ、電池残量メモリＡに記憶される値（最新の電池の残量値）が所定の閾値以上か否かを判別する。
【０１２２】
端末の電池の残量値が所定の閾値以上となっていること（すなわち、電池の残量が上昇していること）を検出するためである。
【０１２３】
（ト）次に、上述の（ヘ）の判別において、端末３は、電池残量メモリＢに記憶される値が所定の閾値より小さく、且つ、電池残量メモリＡに記憶される値が所定の閾値以上である場合には、電池の残量上昇を検出したとみなし、検出レジスタに値２を書き込む。
【０１２４】
（チ）端末３は、上述の（ヘ）の判別において、電池残量メモリＢに記憶される値が所定の閾値以上、又は、電池残量メモリＡに記憶される値が所定の閾値未満である場合には、検出レジスタに値０を書き込む。
【０１２５】
上述した以外の構成や機能は、第１の実施の形態におけるシステムと同じであるので、同一の符号を付して説明を省略する。
【０１２６】
[動作の説明]
次に、本実施形態のシステムの動作を説明する。図９、図１０は、第２の実施形態のシステムの動作を説明する為の図である。
【０１２７】
図９は、端末３が、電池の残量低下を検出した場合のシステムの動作を説明する図である。図１０は、端末３が、電池の残量上昇を検出した場合のシステムの動作を説明する図である。図９と図１０を用いて本実施形態のシステムの動作を説明する。
【０１２８】
（１）端末３が起動した後の動作
まず、端末３は、起動後、周知の位置登録メッセージを送信し、それによって基地局４が、（周辺セル１０〜１４の周波数１１０〜１１４を示す周波数番号を含む）測定要求メッセージを端末３に送信する。第１の実施形態の端末１、基地局２と同じ動作である。
【０１２９】
但し、基地局４は、測定要求メッセージを送信する直前に、測定要求メッセージに含まれる周波数番号を周波数記憶メモリに記憶する。周波数記憶メモリには、周辺セル１０〜１４の周波数１１０〜１１４を示す周波数番号が記憶される。
【０１３０】
上述の「周波数１１０〜１１４を示す周波数番号」とは、具体的には、周波数１１０を示す周波数番号、周波数１１１を示す周波数番号、周波数１１２を示す周波数番号、周波数１１３を示す周波数番号、及び周波数１１４を示す周波数番号の５つの番号である。
【０１３１】
端末３は、測定要求メッセージを受信すると、受信した測定要求メッセージに含まれる周波数番号が示す周波数１１０〜１１４について電波測定を繰り返し行う。すなわち、端末３は、周辺セル１０〜１４について電波測定を繰り返し行う。第１の実施形態におけるシステムの端末１と同じ動作である。
【０１３２】
（２）端末の電池残量の低下を検出した動作
その後、端末３が、電池の残量低下（すなわち、端末の電池の残量値が所定の閾値より小さくなったこと）を検出したとする。端末３は、電池の残量低下を、上述の「（４）端末３における電池の残量値の低下、若しくは上昇を検出する機能の詳細」に示した機能により検出する。端末３は、電池の残量低下を検出したときには、上述の「（４）端末３における電池の残量値の低下、若しくは上昇を検出する機能の詳細」で説明した通り、検出レジスタの値を値１にする。
【０１３３】
端末３は、電池の残量低下を検出し、検出レジスタの値を値１にしたときには、図９に示されるように、残量低下を示すメッセージを基地局４に送信する（Ｓ２０）。
【０１３４】
次に、基地局４は、残量低下を示すメッセージを端末３から受信すると、自身に備わる情報保持レジスタの値を値１とする（Ｓ２１）。値１は、端末３の電池の残量低下を示す値である。
【０１３５】
次に、基地局４は、上述のＳ５を実施し、自身に備わる状態記憶レジスタの値が値０（端末３が測定減状態）か否かを判別する（Ｓ５）。ここでは、状態記憶レジスタの値は初期値０のままである。
【０１３６】
基地局４は、状態記憶レジスタの値が０の場合（Ｓ５でＹｅｓの場合）、すなわち、端末３が測定減状態でない場合には、情報保持レジスタの値が値１であるか否かを判別する（Ｓ２２）。
【０１３７】
上述のＳ２２の判別は、基地局４が、端末３の電池の残量低下の有無を判別しており、第１の実施形態のＳ６の処理に相当する。基地局４は、情報保持レジスタの値が値１でない場合（Ｓ２２でＮｏの場合）には、端末３の電池残量が低下していないので、新たな処理を行わず、次のメッセージを受信するのを待つ。
【０１３８】
ここでは、Ｓ２１によって情報保持レジスタの値が値１（電池の残量低下を示す値）となっている。その為、以下、基地局４が、Ｓ２２において、情報保持レジスタの値が値１であると判別したものとして説明を続ける。
【０１３９】
基地局４は、Ｓ２２の処理において、情報保持レジスタの値が値１である場合（Ｓ２２でＹｅｓの場合）には、測定の停止を要求する停止要求メッセージを送信する（Ｓ２３）。
【０１４０】
このとき、基地局４は、停止要求メッセージに、端末３が通信を継続するのに必ずしも必要でない周辺セルの周波数を示す周波数番号を含めて送信する。基地局４は、以下の（ｉ）〜（ｉｉｉ）の通りに、端末３が通信を継続するのに必ずしも必要でない周辺セルの周波数を示す周波数番号を求め、停止要求メッセージを送信する。
【０１４１】
（ｉ）まず、基地局４は、周波数記憶メモリに記憶される周波数番号の中から、自身に設定されている周辺セル１２、１３の周波数１１２、１１３を示す周波数番号以外の周波数番号を抽出する。周辺セル１２、１３は、ハンドオーバ可能セル、すなわち、端末３が通信を継続するのに必要な周辺セルである。（ｉ）では、端末３が通信を継続するのに必要な周辺セルの周波数を示す周波数番号以外の周波数番号を、周波数記憶メモリに記憶される周波数番号の中から抽出する。
【０１４２】
周波数記憶メモリには、上述の「（１）端末３が起動した後の動作」で説明したように、周波数１１０〜１１４を示す５つの周波数番号が記憶されている。その為、基地局４は、周波数１１０を示す周波数番号、周波数１１１を示す周波数番号、及び周波数１１４を示す周波数番号の３つの周波数番号を抽出する。抽出された３つの周波数番号は、以下、「周波数１１０、１１１、１１４を示す周波数番号」という。
【０１４３】
（ｉｉｉ）基地局４は、抽出した周波数１１０、１１１、１１４を示す周波数番号を停止要求メッセージに含め、送信する。周波数１１０、１１１、１１４を示す周波数番号は、端末３が通信を継続するのに必ずしも必要でない周辺セルの周波数を示す周波数番号である。
【０１４４】
上述のＳ２３の処理により、端末３は、停止要求メッセージを受信する。
【０１４５】
端末３は、図９に示されるように、受信した停止要求メッセージから周波数１１０、１１１、１１４を示す周波数番号を抽出し、抽出した周波数番号が示す周波数１１０、１１１、１１４各々について電波測定を停止する（Ｓ２４）。
【０１４６】
その結果、端末３は、周波数１１２、１１３に絞って電波測定を行うこととなる。すなわち、端末３は、通信を継続するのに必要な周辺セルに絞って電波測定を行う。上述の停止要求メッセージは、端末３が通信を継続するのに必要な周辺セルに絞って電波測定することを要求するメッセージである。
【０１４７】
上述Ｓ２３の後、基地局４は、図９に示されるように、Ｓ８の処理を行い、状態記憶レジスタ値を値１（端末３が測定減状態であることを示す値）に変更する。
【０１４８】
上述のＳ２０〜Ｓ２４の処理により、端末３の電池の残量が低下したとき、基地局４は、端末３が通信を継続するのに必ずしも必要でない周辺セルの周波数については電波測定を停止する。その結果、端末３は、周辺セル１２、１３に絞って電波測定を行い、電池の消費量を抑えることができる。基地局４は、端末３の電池の残量が低下したとき、端末３の電池の消費量を抑えるので、端末３の電池が枯渇するのを十分抑制できる。
【０１４９】
（３）端末の電池残量が上昇を検出した動作
その後、端末３のユーザによって、端末３は容量一杯に充電されたとする。
【０１５０】
そのとき、端末３は、電池の残量上昇を検出する。端末３は、電池の残量上昇を、上述の「（４）端末３における電池の残量値の低下、若しくは上昇を検出する機能の詳細」に示した機能により検出する。端末３は、電池残量の上昇を検出したときには、上述の「（４）端末３における電池の残量値の低下、若しくは上昇を検出する機能の詳細」で説明した通り、検出レジスタの値を値２にする。
【０１５１】
端末３は、電池の残量上昇を検出し、検出レジスタの値を値２にしたときには、図１０に示されるように、残量上昇を示すメッセージを基地局４に送信する（Ｓ３０）。
【０１５２】
次に、基地局４は、残量上昇を示すメッセージを端末３から受信すると、自身に備わる情報保持レジスタの値を値２とする（Ｓ３１）。値２は、端末３の電池の残量上昇を示す値である。
【０１５３】
次に、基地局４は、上述のＳ５を実施し、状態記憶レジスタの値が値０か否かを判別する（Ｓ５）。ここでは、基地局４は、Ｓ８の処理を行い、状態記憶レジスタ値を値１に変更している。
【０１５４】
基地局４は、上述のＳ５の処理において、状態記憶レジスタの値が１の場合（Ｓ５でＮｏの場合）には、情報保持レジスタの値が値２であるか否かを判別する（Ｓ３２）。
【０１５５】
上述のＳ３２の処理は、基地局４が、端末３の電池の残量上昇の有無を判別するものであり、第１の実施形態のＳ１０の処理に相当する。基地局４は、情報保持レジスタの値が値２でない場合（Ｓ３２でＮｏの場合）には、端末３の電池残量が上昇していないので、新たな処理を行わず、次のメッセージを受信するのを待つ。
【０１５６】
ここでは、情報保持レジスタの値が値２（端末３の電池の残量上昇を示す値）である。その為、以下、基地局４が、Ｓ３２において、情報保持レジスタの値が値２であると判別したものとして説明を続ける。
【０１５７】
基地局４は、Ｓ３２の処理において、情報保持レジスタの値が値２である場合（Ｓ３２でＹｅｓの場合）は、Ｓ１１を実施し、全ての周辺セル１０〜１４について測定を行うことを要求する測定要求メッセージを端末３に送信する（Ｓ１１）。測定要求メッセージには、周辺セル１０〜１４の周波数１１０〜１１４を示す周波数番号が含まれる。
【０１５８】
次に、基地局４は、Ｓ１２を実施し、Ｓ１２を実施した後、端末３に送信した測定要求メッセージに含まれる周波数番号を周波数記憶メモリに記憶する（Ｓ３３）。
【０１５９】
次にＳ２３を実施したときに、基地局４が、測定を停止する周波数を示す周波数番号を抽出できるようにする為である。
【０１６０】
端末３は、上述のＳ１１の処理によって、周知の測定要求メッセージを受信する。
【０１６１】
端末３は、受信した測定要求メッセージから周波数番号を抽出し、抽出した周波数番号が示す周波数１１０〜１１４について電波測定を行う（Ｓ９）。
【０１６２】
これにより、端末３は、周波数１１０、１１１、１１３、１１４について電波測定の停止を解除し、全ての周辺セル１０〜１４について電波測定を行う。Ｓ１１により送信される測定要求メッセージは、測定停止を解除するメッセージである。
【０１６３】
上述のＳ３０、Ｓ３１、Ｓ５、Ｓ３２、Ｓ１１、及びＳ９の処理により、端末３の電池の残量が所定値以上に上昇したときは、基地局４は、端末３が一部の周辺セルに絞って電波測定することを解除し、全ての周辺セルについて電波測定する状態に戻すことができる。
【０１６４】
上述した以外の動作は、第１の実施の形態におけるシステムと同じであるので、同一の符号を付して説明を省略する。
【０１６５】
なお、上記では、「通信を継続するのに必要な周辺セル」が、ハンドオーバ可能セルであるものとしたが、これは例示であり、ハンドオーバ可能セルに限らない。「通信を継続するのに必要な周辺セル」は、端末３が通信を継続するのに必要な周辺セルであれば、どのようなセルであってもよい。
【０１６６】
さらに、上記では、本実施形態のシステムが、端末３を１台備える例を説明したが、１台に限らない。本実施形態のシステムは、端末３を２台以上備えてもよい。その場合、各端末３には、閾値が端末３の製造者によって設定される。端末３の製造者は、容量一杯に充電されたときの５割にする等、端末３のユーザと相談して閾値を設定してもよい。基地局４は、端末３毎に、図９、図１０に示した処理（Ｓ５、Ｓ８、Ｓ１１、Ｓ１２、Ｓ２０〜Ｓ２４、Ｓ３０〜Ｓ３３の処理）を行う。
【０１６７】
［効果の説明］
本実施形態によれば、基地局４は、第１の実施形態のシステムにおける基地局２と同様に、端末３の電池の残量が少なくなったとき、端末３の電池が枯渇するのを十分抑制できる。
【０１６８】
なぜならば、本実施形態のシステムでは、基地局４は、端末３の電池の残量が少なくなったときには、通信を継続するのに必要な周辺セル１２、１３以外の周辺セルについて電波測定の停止することを端末３に要求するからである。その結果、端末３は、通信を継続するのに必要な周辺セル１２、１３に絞って電波測定を実施することとなり、電池の消費を抑えられる。基地局４は、端末３の電池の残量が少なくなったとき、端末３の電池の消費を抑えるので、端末３の電池が枯渇するのを十分抑制することができる。
【０１６９】
さらに、本実施形態のシステムでは、端末３毎に閾値が設定される。その為、第２の実施形態のシステムは、基地局に１つ閾値が設定される第１の実施形態のシステムよりも端末３の消費電力を抑える制御を柔軟に行うことができる。
【０１７０】
≪第３の実施の形態≫
図１１は、本発明の第３の実施の形態における基地局の構成例を示す図である。以下に、第３の実施の形態の基地局の構成と動作について説明する。
【０１７１】
［構成の説明］
（１）第３の実施形態の基地局の構成
第３の実施形態の基地局は、図１１に示されるように、要求部７１を備える。第３の実施形態の基地局７は、端末（図示せず）と接続される。基地局７は、無線回線を介して端末と接続されてもよい。
【０１７２】
基地局７のセルには、その周辺に周辺セル８１〜８４が存在する。
【０１７３】
（２）基地局７の機能
基地局７は、接続する端末（図示せず）に対し、複数の周辺セル８１〜８４について測定を行うことを要求する基地局である。測定は、周辺セル８１〜８４から届く電波の受信品質の測定であってもよい。
【０１７４】
基地局７の要求部７１は、接続する端末の電池残量が所定値よりも少なくなったことを示す所定の第１の情報に基づいて、複数の周辺セル８１〜８４の所定の一部のみについて測定を行うことを、接続する端末（図示せず）に要求する。要求部７１は、周辺セル８１〜８４のうち、一部の周辺セル８２、８３のみについて測定を行うことを、接続する端末に要求してもよい。
【０１７５】
[動作の説明]
次に、本実施形態の基地局７の動作を説明する。
【０１７６】
まず、基地局７が、接続する端末（図示せず）に対し、複数の周辺セル８１〜８４について測定を行うことを要求し、端末が、複数の周辺セル８１〜８４について測定を行っているとする。測定は、周辺セル８１〜８４から届く電波の受信品質の測定であってもよい。
【０１７７】
そこに、端末が、電池残量が所定値よりも少なくなったことを検出し、電池残量が所定値よりも少なくなったことを示す第１の情報を基地局７に通知したとする。
【０１７８】
基地局７の要求部７１は、接続する端末の電池残量が所定値よりも少なくなったことを示す所定の第１の情報に基づいて、複数の周辺セル８１〜８４の所定の一部のみについて測定を行うことを、接続する端末に要求する。例えば、要求部７１は、周辺セル８１〜８４のうち、一部の周辺セル８２、８３のみについて測定を行うことを、接続する端末に要求する。
【０１７９】
端末は、測定を要求された一部の周辺セル８２、８３について測定を行う。
【０１８０】
［効果の説明］
本実施形態によれば、基地局７は、接続する端末の電池の残量が少なくなったとき、該端末の電池が枯渇するのを十分抑制できる。
【０１８１】
なぜならば、本実施形態のシステムでは、基地局７は、端末の電池残量が所定値より少なくなったとき、一部の周辺セル８２、８３のみについて測定を行うことを端末に要求するからである。その結果、端末は、複数の周辺セル８１〜８４ではなく、一部の周辺セル８２、８３に絞って測定を実施するので、電池の消費を抑えられる。基地局７は、端末の電池の残量が少なくなったとき、端末の電池の消費を抑えるので、端末の電池が枯渇するのを十分抑制することができる。
【０１８２】
≪第４の実施の形態≫
図１２は、本発明の第４の実施の形態における端末の構成例を示す図である。以下に、第４の実施の形態の端末の構成と動作について説明する。
【０１８３】
［構成の説明］
（１）第４の実施形態の端末の構成
第４の実施形態の端末９は、図１２に示されるように、電池管理部９１と、報告部９２と、を備える。
【０１８４】
（２）端末９の機能
端末９は、電池により駆動される端末である。
【０１８５】
端末９の電池管理部９１は、端末９の電池の残量を検出した結果を示す電池残量情報を出力する。
【０１８６】
端末９の報告部９２は、入力される電池残量情報が、（電池の）残量が所定値よりも少ないことを示す場合、その旨を示す第２の情報を送信する。上述の所定値は、本実施形態の端末９の製造者によって報告部９２に設定される。本実施形態の端末９の製造者は、端末９の状況に応じて自由に所定値を設定することができる。
【０１８７】
[動作の説明]
次に、本実施形態の端末９の動作を説明する。
【０１８８】
端末９の電池管理部９１は、端末９の電池の残量を検出した結果を示す電池残量情報を出力する。
【０１８９】
次に、端末９の報告部９２は、（電池管理部９１から）入力される電池残量情報が、電池の残量が所定値よりも少ないことを示す場合、その旨を示す第２の情報を送信する。
【０１９０】
送信先は、基地局（具体的には、端末９から第２の情報を受信したことを契機に、複数の周辺セルの一部のセルのみについて測定を行うことを端末９に要求する基地局）であってもよい。その場合、端末９は、基地局からの要求に基づき、複数の周辺セルの一部についてのみ測定を行う。その結果、端末９は、電池の消費を抑制することができる。
【０１９１】
［効果の説明］
本実施形態によれば、端末９は、第２の情報の受信を契機に複数の周辺セルの一部のみについて測定を行うことを要求する基地局と接続されるとき、残量の少なくなった電池が枯渇するのを抑制することができる。
【０１９２】
なぜなら、端末９は、電池残量が所定値よりも少なくなったときには、第２の情報を上述の基地局に送信するからである。端末９は、第２の情報の送信により、複数の周辺セルの一部のみについて測定を行うことを基地局から要求され、一部の周辺セルのみについて測定を行うことができる。その結果、端末９は、電池の消費を抑え、電池が枯渇するのを抑制することができる。
【０１９３】
なお、上述した実施の形態は、その形態に限定されるものではなく、実施段階ではその要旨を逸脱しない範囲で種々変更可能である。
【０１９４】
さらに、上記の各実施形態の一部又は全部は、以下の付記のようにも記載されうるが、以下には限られない。
（付記１）
接続する端末に対し、複数の周辺セルについて測定を行うことを要求する基地局であって、
前記端末の電池残量が所定値よりも少なくなったことを示す所定の第１の情報に基づいて、前記複数の周辺セルの所定の一部のみについて前記測定を行うことを前記端末に要求する要求部を備えることを特徴とする基地局。
（付記２）
前記端末の電池残量が所定値よりも少なくなったことを検出する検出部を備え、
前記要求部は、前記端末の電池残量が所定値よりも少なくなったことを前記検出部が検出した場合に、前記所定の一部のみについて前記測定を行うことを前記端末に要求する、
ことを特徴とする付記１に記載の基地局。
（付記３）
前記検出部は、前記端末の電池残量が所定値以上となったことを検出し、
前記要求部は、前記端末の電池残量が所定値以上となったことを前記検出部が検出したときには、前記複数の周辺セルについて前記測定を行うことを前記端末に要求する、
ことを特徴とする付記２に記載の基地局。
（付記４）
前記要求部は、前記端末の電池残量が所定値よりも少なくなったことを前記検出部が検出した場合、前記所定の一部を示す情報を含む測定要求メッセージを前記端末に送信する、
ことを特徴とする付記２乃至３のいずれか１項に記載の基地局。
（付記５）
前記所定の一部のみについて前記測定を行うことの前記要求は、前記所定の一部以外の残余の前記周辺セルについて測定を停止することの要求を含む、
ことを特徴とする付記１乃至３のいずれか１項に記載の基地局。
（付記６）
前記所定の一部は、存在しないと前記端末が通信を継続できなくなる前記周辺セルである、
ことを特徴とする付記１乃至５のいずれか１項に記載の基地局。
（付記７）
電池により駆動される端末であって、
前記電池の残量を検出した結果を示す電池残量情報を出力する電池管理部と、
入力される前記電池残量情報が、前記残量が所定値よりも少ないことを示す場合、その旨を示す第２の情報を送信する報告部と、
を備えることを特徴とする端末。
（付記８）
付記１に記載の基地局と、
付記７に記載の前記端末と、を備え、
前記基地局は、受信した前記第２の情報を前記第１の情報として使用することを特徴とするシステム。
（付記９）
付記２乃至４のいずれか１項に記載の基地局と、
前記端末と、を備える、
ことを特徴とするシステム。
（付記１０）
付記５に記載の基地局と、
前記基地局からの要求に、前記残余の周辺セルについて測定を停止することの要求が含まれるときには、前記残余の周辺セルについて前記測定を停止する前記端末と、を備える、
ことを特徴とするシステム。
（付記１１）
接続する端末に対し、複数の周辺セルについて測定を行うことを要求する基地局の測定要求方法であって、
前記端末の電池残量が所定値よりも少なくなったことを示す所定の情報に基づいて、前記複数の周辺セルの所定の一部のみについて前記測定を行うことを前記端末に要求する要求ステップを有することを特徴とする測定要求方法。
（付記１２）
前記端末の電池残量が所定値よりも少なくなったことを検出する検出ステップを有し、
前記要求ステップにおいては、前記端末の電池残量が所定値よりも少なくなったことが前記検出ステップにおいて検出された場合に、前記所定の一部のみについて前記測定を行うことを前記端末に要求する、
ことを特徴とする付記１１に記載の測定要求方法。
（付記１３）
前記検出ステップにおいては、前記端末の電池残量が所定値以上となったことを検出し、
前記要求ステップにおいては、前記端末の電池残量が所定値以上となったことが前記検出ステップにおいて検出されたときには、前記複数の周辺セルについて前記測定を行うことを前記端末に要求する、
ことを特徴とする付記１２に記載の測定要求方法。
（付記１４）
前記要求ステップにおいては、前記端末の電池残量が所定値よりも少なくなったことが前記検出ステップにおいて検出された場合、前記所定の一部を示す情報を含む測定要求メッセージを前記端末に送信する、
ことを特徴とする付記１２乃至１３のいずれか１項に記載の測定要求方法。
（付記１５）
前記所定の一部のみについて前記測定を行うことの前記要求は、前記所定の一部以外の残余の前記周辺セルについて測定を停止することの要求を含む、
ことを特徴とする付記１１乃至１３のいずれか１項に記載の測定要求方法。
【符号の説明】
【０１９５】
１、３、９    端末
２、４、７    基地局
１０〜１４    周辺セル
７１    要求部
８１〜８４    周辺セル
９１    電池管理部
９２    報告部
１１０〜１１４    周波数
【図１】
2017183811.tif 000003
【図２】
2017183811.tif 000004
【図３】
2017183811.tif 000005
【図４】
2017183811.tif 000006
【図５】
2017183811.tif 000007
【図６】
2017183811.tif 000008
【図７】
2017183811.tif 000009
【図８】
2017183811.tif 000010
【図９】
2017183811.tif 000011
【図１０】
2017183811.tif 000012
【図１１】
2017183811.tif 000013
【図１２】
2017183811.tif 000014